(57)【要約】【課題】芯材にコイル状に巻き付けた線材を用いる簡単な構造で塗布対象毛に対して十分に濃い塗布液を塗布できる。【解決手段】ブラシ塗布部４は、芯材２に線材６をコイル状に巻き付け、または巻き付けて線材６を外して、ブラシ毛材３が存在する周方向のブラシ毛材部４ａとブラシ毛材３が存在しない周方向の間隙部４ｂとを、芯材軸方向に交互に配列するように形成した。ブラシ塗布部１４は、芯材１２に線材１６をコイル状に巻き付け、または巻き付けて線材１６を外して、ブラシ毛材１３が存在するブラシ毛材部１４ａとブラシ毛材１３が存在しない間隙部１４ｂとを、芯材軸方向に交互に配列するように形成した。【選択図】図１
2009119176.tif 000002
【特許請求の範囲】
【請求項１】
複数本の線状の芯材にブラシ毛材を挟持し、前記各芯材を捻り絞ることによって、前記ブラシ毛材を保持してなるブラシ塗布部を備え、このブラシ塗布部によって塗布対象毛に塗布液を塗布する液塗布具であり、
前記ブラシ塗布部は、前記芯材にコイル状に巻き付けた線材を用いて、前記ブラシ毛材が存在する周方向のブラシ毛材部と前記ブラシ毛材が存在しない周方向の間隙部とを、芯材軸方向に交互に配列するように形成したことを特徴とする液塗布具。
【請求項２】
複数本の線状の芯材にブラシ毛材を挟持し、前記各芯材を捻り絞ることによって、前記ブラシ毛材を保持してなるブラシ塗布部を備え、このブラシ塗布部によって塗布対象毛に塗布液を塗布する液塗布具であり、
前記ブラシ塗布部は、前記芯材に線材をコイル状に巻き付けて外して、前記ブラシ毛材が存在する周方向のブラシ毛材部と前記ブラシ毛材が存在しない周方向の間隙部とを、芯材軸方向に交互に配列するように形成したことを特徴とする液塗布具。
【請求項３】
芯材にブラシ毛材を芯材軸方向にストレート状に設けてなるブラシ塗布部を備え、このブラシ塗布部によって塗布対象毛に塗布液を塗布する液塗布具であり、
前記ブラシ塗布部は、前記芯材にコイル状に巻き付けた線材を用いて、前記ブラシ毛材が存在するブラシ毛材部と前記ブラシ毛材が存在しない間隙部とを、芯材軸方向に交互に配列するように形成したことを特徴とする液塗布具。
【請求項４】
芯材にブラシ毛材を芯材軸方向にストレート状に設けてなるブラシ塗布部を備え、このブラシ塗布部によって塗布対象毛に塗布液を塗布する液塗布具であり、
前記ブラシ塗布部は、前記芯材に線材をコイル状に巻き付けて外して、前記ブラシ毛材が存在するブラシ毛材部と前記ブラシ毛材が存在しない間隙部とを、芯材軸方向に交互に配列するように形成したことを特徴とする液塗布具。
【発明の詳細な説明】
【技術分野】
【０００１】
この発明は、ブラシ塗布部によって塗布対象毛に塗布液を塗布する液塗布具に関する。
【背景技術】
【０００２】
このような液塗布具として、例えばネジリブラシやハケブラシなどがある。従来のネジリブラシは、複数本の線状の芯材にブラシ毛材を挟持し、各芯材を捻り絞ることによって、ブラシ毛材をスパイラル状に保持してなるブラシ塗布部を備え、このブラシ塗布部によって塗布対象毛に塗布液を塗布するものがある（特許文献１，２）。この特許文献１，２には、ブラシ塗布部に芯材軸方向の溝を設けたものがある。
【０００３】
また、従来のハケブラシは、芯材にブラシ毛材を１列又は複数列ストレート状に設けてなるブラシ塗布部を備え、このブラシ塗布部によって塗布対象毛に塗布液を塗布するものがある。
【０００４】
この種の液塗布具１００を例えばマスカラブラシとして用いる場合には、ブラシ塗布部１０１に付着させたマスカラの塗布液を、まつ毛に塗布するが、ブラシ塗布部に塗布液を付着させるには、ブラシ塗布部を塗布液容器の取出口から、ブラシ塗布部を出し入れすることにより、ブラシ塗布部を塗布液に浸して外部に取り出す。
【０００５】
これによって、ネジリブラシ１００では図１７に示すように、ブラシ毛材のスパイラル状の隙間部に多量の塗布液２００が付着し、ハケブラシ１１０では図１８に示すように、ブラシ毛材の１列又は複数列ストレート状の根元や隙間部に多量の塗布液２００が付着する。ネジリブラシ１００は回転するようにしてまつ毛に塗布液２００を塗布し、ハケブラシ１１０はまつ毛に沿って繰り返し平行に移動するようにしてまつ毛に塗布液２００を塗布している。
【特許文献１】特開２００５−２８０２６
【特許文献２】特開２００６−５１２３５
【発明の開示】
【発明が解決しようとする課題】
【０００６】
ところで、ネジリブラシではブラシ毛材がスパイラル状になっているために、ブラシ毛材が存在しない間隙部に塗布液が多く残っているが、また芯材軸方向の溝に塗布液が多く残っているが、ネジリブラシを回転させながら使用するために、塗布液をまつ毛に多く塗布しても、ブラシ毛材で拭き落し、多く塗布しては拭き落とすことを繰り返す。
【０００７】
また、ハケブラシではブラシ毛材がストレート状になっているために、ブラシ毛材の１列又は複数列ストレート状の根元や隙間部に塗布液が多く残っているが、ハケブラシをまつ毛に対して平行移動しながら使用するために、塗布液をまつ毛に多く塗布しても、ブラシ毛材に隙間がないのでまつ毛に塗られた塗布液をまつ毛に沿って平行移動するブラシ毛材によって掻き取ることを繰り返す。
【０００８】
このように、ブラシ塗布部に付着させた塗布液をまつ毛に塗布し、多く残っている塗布液をまつ毛に塗ったとき多く塗られるが、この多く塗られているまつ毛の部分をブラシ毛材が払い取り、まつ毛に濃い塗布液を塗布できない結果になる。
【０００９】
この発明は以上の点を考慮してなされたもので、芯材にコイル状に巻き付けた線材を用いる簡単な構造で塗布対象毛に対して十分に濃い塗布液を塗布できるようにした液塗布具を提供することを目的としている。
【課題を解決するための手段】
【００１０】
前記課題を解決し、かつ目的を達成するために、この発明は、以下のように構成した。
【００１１】
請求項１に記載の発明は、複数本の線状の芯材にブラシ毛材を挟持し、前記各芯材を捻り絞ることによって、前記ブラシ毛材を保持してなるブラシ塗布部を備え、このブラシ塗布部によって塗布対象毛に塗布液を塗布する液塗布具であり、
前記ブラシ塗布部は、前記芯材にコイル状に巻き付けた線材を用いて、前記ブラシ毛材が存在する周方向のブラシ毛材部と前記ブラシ毛材が存在しない周方向の間隙部とを、芯材軸方向に交互に配列するように形成したことを特徴とする液塗布具である。
【００１２】
請求項２に記載の発明は、複数本の線状の芯材にブラシ毛材を挟持し、前記各芯材を捻り絞ることによって、前記ブラシ毛材を保持してなるブラシ塗布部を備え、このブラシ塗布部によって塗布対象毛に塗布液を塗布する液塗布具であり、
前記ブラシ塗布部は、前記芯材に線材をコイル状に巻き付けて外して、前記ブラシ毛材が存在する周方向のブラシ毛材部と前記ブラシ毛材が存在しない周方向の間隙部とを、芯材軸方向に交互に配列するように形成したことを特徴とする液塗布具である。
【００１３】
請求項３に記載の発明は、芯材にブラシ毛材を芯材軸方向にストレート状に設けてなるブラシ塗布部を備え、このブラシ塗布部によって塗布対象毛に塗布液を塗布する液塗布具であり、
前記ブラシ塗布部は、前記芯材にコイル状に巻き付けた線材を用いて、前記ブラシ毛材が存在するブラシ毛材部と前記ブラシ毛材が存在しない間隙部とを、芯材軸方向に交互に配列するように形成したことを特徴とする液塗布具である。
【００１４】
請求項４に記載の発明は、芯材にブラシ毛材を芯材軸方向にストレート状に設けてなるブラシ塗布部を備え、このブラシ塗布部によって塗布対象毛に塗布液を塗布する液塗布具であり、
前記ブラシ塗布部は、前記芯材に線材をコイル状に巻き付けて外して、前記ブラシ毛材が存在するブラシ毛材部と前記ブラシ毛材が存在しない間隙部とを、芯材軸方向に交互に配列するように形成したことを特徴とする液塗布具である。
【発明の効果】
【００１５】
前記構成により、この発明は、以下のような効果を有する。
【００１６】
請求項１に記載の発明では、芯材にコイル状に巻き付けた線材を用いる簡単な構造でブラシ毛材を強制的に曲げて、ブラシ塗布部にブラシ毛材が存在する周方向のブラシ毛材部とブラシ毛材が存在しない周方向の間隙部とを、芯材軸方向に交互に配列するように形成することができる。また、ブラシ塗布部を回転させながら使用するときに、ブラシ毛材が存在しない間隙部に多く残っている塗布液をまつ毛に塗布でき、しかも塗布した塗布液をブラシ毛材部によって拭き落すことがなく、塗布対象毛に対して十分に濃い塗布液を塗布することができる。
【００１７】
請求項２に記載の発明では、芯材に線材をコイル状に巻き付けて外す簡単な構造でブラシ毛材を強制的に曲げ、この曲げ癖を利用して、ブラシ塗布部にブラシ毛材が存在する周方向のブラシ毛材部とブラシ毛材が存在しない周方向の間隙部とを、芯材軸方向に交互に配列するように形成することができる。また、ブラシ塗布部を回転させながら使用するときに、ブラシ毛材が存在しない間隙部に多く残っている塗布液をまつ毛に塗布でき、しかも塗布した塗布液をブラシ毛材部によって拭き落すことがなく、塗布対象毛に対して十分に濃い塗布液を塗布することができる。
【００１８】
請求項３に記載の発明では、芯材にコイル状に巻き付けた線材を用いる簡単な構造でブラシ毛材を強制的に曲げて、ブラシ塗布部にブラシ毛材が存在するブラシ毛材部とブラシ毛材が存在しない間隙部とを、芯材軸方向に交互に配列するよう形成することができる。また、ブラシ塗布部をまつ毛に沿って平行移動して使用するとき、ブラシ毛材の１列又は複数列ストレート状の根元や隙間部に多く残っている塗布液をまつ毛に塗布でき、しかも塗布した塗布液をブラシ毛材部で拭き落すことがなく、塗布対象毛に対して十分に濃い塗布液を塗布することができる。
【００１９】
請求項４に記載の発明では、芯材にコイル状に巻き付けた線材を用いる簡単な構造でブラシ毛材を強制的に曲げ、この曲げ癖を利用して、ブラシ塗布部にブラシ毛材が存在するブラシ毛材部とブラシ毛材が存在しない間隙部とを、芯材軸方向に交互に配列するよう形成することができる。また、ブラシ塗布部をまつ毛に沿って平行移動して使用するとき、ブラシ毛材の１列又は複数列ストレート状の根元や隙間部に多く残っている塗布液をまつ毛に塗布でき、しかも塗布した塗布液をブラシ毛材部で拭き落すことがなく、塗布対象毛に対して十分に濃い塗布液を塗布することができる。
【発明を実施するための最良の形態】
【００２０】
以下、この発明の液塗布具の実施の形態について説明する。この発明の実施の形態は、発明の最も好ましい形態を示すものであり、この発明はこれに限定されない。
【００２１】
［第１の実施の形態］
まず、第１の実施の形態を、図１乃至図１０に基づいて説明する。図１は液塗布具１の斜視図、図２は液塗布具１の側面図、図３は液塗布具１を先端側から見た図、図４及び図５は液塗布具１の製造方法を示す図、図６乃至図８はブラシ塗布部４の他の形態を示す図、図９及び図１０は液塗布具１の使用状態を示す図である。
【００２２】
この第１の実施の形態の液塗布具１は、ネジリブラシであり、２本の線状の芯材２にブラシ毛材３を挟持し、各芯材２を捻り絞ることによって、ブラシ毛材３を保持してなるブラシ塗布部４を備えている。
【００２３】
この実施の形態の場合、ブラシ塗布部４は、例えば０．１〜２．０ｍｍφの太さの２本のステンレス線材間に、その延長方向に多数のブラシ繊維材料を配列するように挟み込んだ状態において当該２本の線材にねじり加工を施すことにより、当該ねじり加工された２本の線材でなる芯材２を中心として、直線的に外方にブラシ毛材３を突出するように植毛した構成である。ブラシ繊維材料は、例えば合成樹脂材料（ナイロン、テトロン、ポリエステル、ポリプロピレンなど）の繊維素材が用いられる。
【００２４】
ブラシ毛材３は、例えば０．０１８〜０．３ｍｍφの太さが塗布対象毛に塗布液を塗布する点で好ましい。また、２本のステンレス線材を用いているが、３本以上であってもよく、また樹脂線材であってもよい。
【００２５】
このブラシ塗布部４によって塗布対象毛に塗布液を塗布し、このブラシ塗布部４は、全体の外観形状として手元から先端まで同じである断面がほぼ円形形状に成形されているが、手元から先端に行くに従って先細りになる断面がほぼ円形形状に成形されていてもよいし、断面正方形状、長方形状、楕円形状などでもよい。また、ブラシ塗布部４には、芯材軸方向のブラシ毛材３が存在しない溝が形成されていてもよい。
【００２６】
このブラシ塗布部４は、捻り絞った芯材２にコイル状に巻き付けた線材６を用いて、ブラシ毛材３が存在する周方向のブラシ毛材部４ａとブラシ毛材３が存在しない周方向の間隙部４ｂとを、芯材軸方向に交互に配列するように形成している。このブラシ塗布部４は使用するときに芯材２を支点に回転するが、このときブラシ毛材部４ａの回転軌跡によって間隙部４ｂが存在しなくならないように形成されている。すなわち、側面から見て、芯材２を支点に回転するとき、間隙部４ｂが常に見えるようになっている。
【００２７】
線材６は、例えば０．３〜１．０ｍｍφの太さがブラシ毛材３が存在しない周方向の間隙部４ｂを容易に形成でき、かつ間隙部４ｂを所定幅にすることができる点で好ましい。この間隙部４ｂの幅は、例えば０．２〜１．０ｍｍが塗布液を確実に保持できる点で好ましい。
【００２８】
この捻り絞った芯材２に線材６をコイル状に巻き付けるためには、例えば図４及び図５に示す方法があり、芯材２にコイル状に巻き付けた線材６を用いる簡単な構造で、ブラシ塗布部４にブラシ毛材３が存在する周方向のブラシ毛材部４ａとブラシ毛材３が存在しない周方向の間隙部４ｂとを、芯材軸方向に交互に配列するように形成することができる。
【００２９】
図４に示す方法は、線材６として金属又は樹脂のスプリングを用い、この線材６を所定ピッチのコイル状にしておき、このコイル状の線材６を捻り絞った芯材２の先端からそのまま直線状に挿入し、あるいは回転しながら挿入して装着する。この装着したコイル状の線材６の所定ピッチによって、捻り絞った芯材２によって芯材軸方向にスプライン状になっているブラシ毛材３は、そのスプライン状の周方向の一部が分断されてブラシ毛材３の根元で芯材軸方向の手元側と先端側の両側に強制的に押し広げられて曲げられ、ブラシ毛材３が存在する周方向のブラシ毛材部４ａとブラシ毛材３が存在しない周方向の間隙部４ｂとが芯材軸方向に交互に配列するように形成される。
【００３０】
このコイル状の線材６の所定ピッチは、コイル状の方向が芯材２の捻り方向と同じ方向の場合には、芯材２の捻りピッチと異なるピッチとし、コイル状の方向が芯材２の捻り方向と逆方向の場合には、異なるピッチでも、同じピッチでもよい。
【００３１】
図５に示す方法は、線材６として金属又は樹脂の弾性変形可能な線材を用い、線材６の一端を捻り絞った芯材２の先端側または手元側に巻き付けて固定し、あるいは接着剤などで固定し、芯材２を回転しながら所定ピッチでコイル状に巻き付ける。この巻き付けたコイル状の線材６の所定ピッチによって、捻り絞った芯材２によって芯材軸方向にスプライン状になっているブラシ毛材３は、その周方向の一部が分断されてブラシ毛材３の根元で芯材軸方向の手元側と先端側の両側に強制的に押し広げて曲げられ、ブラシ毛材３が存在する周方向のブラシ毛材部４ａとブラシ毛材３が存在しない周方向の間隙部４ｂとが芯材軸方向に交互に配列するように形成される。
【００３２】
この巻き付けたコイル状の線材６の所定ピッチは、コイル状の方向が芯材２の捻り方向と同じ方向の場合には、芯材２の捻りピッチと異なるピッチとし、コイル状の方向が芯材２の捻り方向と逆方向の場合には、異なるピッチでも、同じピッチでもよい。
【００３３】
このブラシ塗布部４は、ブラシ毛材３の量や線材６のピッチ及び太さによって図１乃至図８に示すようになる。
【００３４】
図１乃至図５では、ブラシ毛材３が存在する周方向のブラシ毛材部４ａは線材６によって先端が互いに近接するように曲げられ、ブラシ毛材３が存在しない周方向の間隙部４ｂは、側面から芯材２や線材６が見えるようになっている。
【００３５】
図６では、図１乃至図５よりブラシ毛材３が多量で、線材６が太くピッチが大きいものが用いられ、ブラシ毛材部４ａは線材６によって先端が互いに近接するように曲げられ、ブラシ毛材３が存在しない周方向の間隙部４ｂは、側面から芯材２や線材６が見えるようになっている。
【００３６】
図７では、図１乃至図５よりブラシ毛材３が少量で、線材６が太くピッチが小さいものが用いられ、ブラシ毛材部４ａは線材６によって先端が互いに近接して交差するように曲げられ、ブラシ毛材３が存在しない周方向の間隙部４ｂは、ブラシ毛材部４ａの交差部分の先端に形成される。
【００３７】
図８では、図１乃至図５よりブラシ毛材３が少量で、線材６が太くピッチが大きいものが用いられ、ブラシ毛材部４ａは線材６によって先端が互いに近接しないように平行に伸びるように曲げられ、ブラシ毛材３が存在しない周方向の間隙部４ｂは、側面から芯材２や線材６が見えるようになっている。
【００３８】
次に、図９及び図１０に基づいて液塗布具１の使用について説明する。
【００３９】
以上の構成において、液塗布具１が、塗布液容器に差し込まれた状態から引き抜かれると、ブラシ塗布部４が全体として塗布液容器のしごき部材によってしごかれるが、ブラシ塗布部４の間隙部４ｂには、図９に示すように、塗布液９０を保持した状態になる。
【００４０】
この状態になるのは、ブラシ塗布部４が塗布液容器のしごき部材によってしごかれたとき、ブラシ毛材部４ａのブラシ毛材３が根元側から先端側に向かって一旦倒され、その後しごき部材を通り過ぎて外に出たときその弾性によって起立した状態に復元するような動作をすることにより、ブラシ毛材部４ａ間の間隙部４ｂに塗布液９０が保持された状態になる。
【００４１】
かくして、ブラシ塗布部４は、ブラシ毛材部４ａ間の間隙部４ｂ内に多量の塗布液を保持した状態で、塗布液容器から取り出されることになる。
【００４２】
そこで、液塗布具１の使用者は、ブラシ塗布部４を、図１０に示すように回転させながらまつ毛２０をすくような操作をすれば、ブラシ毛材部４ａ間の間隙部４ｂ内に保持されている塗布液９０が直接にまつ毛２０に接触することによりまつ毛２０にもったりと付着するような濃い塗布状態で塗布できる。
【００４３】
このようなまつ毛２０への塗布液９０の塗布操作は、使用者が引き続きブラシ塗布部４を回転し続ければ、続いて隣りのブラシ毛材部４ａ間の間隙部４ｂに保持されている塗布液９０がさらにまつ毛２０に塗布されることにより、必要に応じて濃い塗布液をまつ毛２０に塗布することができる。
【００４４】
かくするにつき、ブラシ塗布部４のうちブラシ毛材部４ａのブラシ毛材３がまつ毛２０をすくような動作をすることにより、まつ毛２０が複数本まとまるようなおそれはなく、まつ毛２０の一本一本について、濃く塗布した塗布液を薄めるような修正操作をすることができる。
【００４５】
このように、ブラシ塗布部４は、芯材２にコイル状に巻き付けた線材６を用いて、ブラシ毛材３が存在する周方向のブラシ毛材部４ａとブラシ毛材３が存在しない周方向の間隙部４ａとを、芯材軸方向に交互に配列するよう形成したから、ブラシ塗布部４を回転させながら使用するときに、ブラシ毛材３が存在しない間隙部４ｂに多く残っている塗布液９０をまつ毛２０に塗布でき、しかも塗布した塗布液９０をブラシ毛材３で拭き落すことがなく、塗布対象毛に対して十分に濃い塗布液を塗布することができる。
【００４６】
［第２の実施の形態］
次に、第２の実施の形態を、図１１乃至図１４に基づいて説明する。図１１は液塗布具１の平面図、図１２は液塗布具１の側面図、図１３及び図１４は液塗布具の使用状態を示す図である。
【００４７】
この第２の実施の形態の液塗布具１は、ハケブラシであり、芯材１２にブラシ毛材１３を芯材軸方向にストレート状に設けてなるブラシ塗布部１４を備えている。この実施の形態では、ブラシ毛材１３を芯材１２に植え込んでいるが、一体に形成してもよい。また、ブラシ毛材１３を芯材軸方向に２列ストレート状に設けているが、１列でも３列でも、さらにそれ以上の列でもよい。
【００４８】
ブラシ塗布部１４は、芯材１２にコイル状に巻き付けた線材１６を用いて、ブラシ毛材１３が存在するブラシ毛材部１４ａとブラシ毛材１３が存在しない間隙部１４ｂとを、芯材軸方向に交互に配列するように形成しており、この形成する方法は図４及び図５で説明した方法と同様であるから説明を省略する。また、それぞれの列の間隙部１４ｂの位置は、平行の同じ位置であっても、異なる位置であってもよい。間隙部１４ｂの幅は、線材１６の太さによって設定されるが、例えば０．２〜１．０ｍｍが塗布液９０を確実に保持できる点で好ましい。
【００４９】
次に、図１３及び図１４に基づいて液塗布具１の使用について説明する。
【００５０】
以上の構成において、液塗布具１が、塗布液容器に差し込まれた状態から引き抜かれると、ブラシ塗布部１４が全体として塗布液容器のしごき部材によってしごかれるが、ブラシ塗布部１４の間隙部１４ｂには、図１３に示すように、塗布液９０を保持した状態になる。
【００５１】
この状態になるのは、ブラシ塗布部１４が塗布液容器のしごき部材によってしごかれたとき、ブラシ毛材部１４ａのブラシ毛材１３が根元側から先端側に向かって一旦倒され、その後しごき部材を通り過ぎて外に出たときその弾性によって起立した状態に復元するような動作をすることにより、ブラシ毛材部１４ａ間の間隙部１４ｂに塗布液９０が保持された状態になる。
【００５２】
かくして、ブラシ塗布部１４は、ブラシ毛材部１４ａ間の間隙部１４ｂ内に多量の塗布液を保持した状態で、塗布液容器から取り出されることになる。
【００５３】
そこで、液塗布具１の使用者は、ブラシ塗布部１４を、図１４に示すようにまつ毛２０に対して平行移動しながらまつ毛２０をすくような操作をすれば、ブラシ毛材部１４ａ間の間隙部１４ｂ内に保持されている塗布液９０が直接にまつ毛２０に接触することによりまつ毛にもったりと付着するような濃い塗布状態で塗布できる。
【００５４】
かくするにつき、ブラシ塗布部１４のうちブラシ毛材部１４ａのブラシ毛材１３がまつ毛２０をすくような動作をすることにより、まつ毛２０が複数本まとまるようなおそれはなく、まつ毛２０の一本一本について、濃く塗布した塗布液を薄めるような修正操作をすることができる。
【００５５】
このように、ブラシ塗布部４は、芯材１２にコイル状に巻き付けた線材１６を用いて、ブラシ毛材１３が存在するブラシ毛材部１４ａとブラシ毛材１３が存在しない間隙部１４ｂとを、芯材軸方向に交互に配列するよう形成したから、ブラシ塗布部１４をまつ毛２０に沿って平行移動して使用するとき、ブラシ毛材１３の隙間部１４ｂに多く残っている塗布液９０をまつ毛２０に塗布でき、しかも塗布した塗布液９０をブラシ毛材１３で拭き落すことがなく、塗布対象毛に対して十分に濃い塗布液を塗布することができる。
【００５６】
前記の実施の形態においては、この発明をマスカラブラシに適用した場合について述べたが、これに限らず、例えば毛染め用ブラシとして部分染に用いるものなどのように、要は液を塗布する対象となる塗布対象毛に塗布する場合に広く適用できる。
［第３の実施の形態］
次に、第３の実施の形態を、図１５及び図１６に基づいて説明する。
【００５７】
図１５は液塗布具１の側面図であり、この第３の実施の形態の液塗布具１は、第１の実施の形態と同様に構成されるが、ブラシ塗布部１は、芯材２に線材６をコイル状に巻き付けて外して、ブラシ毛材３が存在する周方向のブラシ毛材部４ａとブラシ毛材３が存在しない周方向の間隙部４ｂとを、芯材軸方向に交互に配列するように形成している。
【００５８】
このように、芯材２に線材６をコイル状に巻き付けて外す簡単な構造でブラシ毛材３を強制的に曲げると、ブラシ毛材３が曲げた状態を保つことになる。このブラシ毛材３の曲げ癖を利用して、ブラシ塗布部４にブラシ毛材３が存在する周方向のブラシ毛材部４ａとブラシ毛材３が存在しない周方向の間隙部４ｂとを、芯材軸方向に交互に配列するように形成することができる。
【００５９】
図１６は液塗布具１の側面図であり、この第３の実施の形態の液塗布具１は、第２の実施の形態と同様に構成されるが、ブラシ塗布部１４は、芯材１２に線材１６をコイル状に巻き付けて外して、ブラシ毛材１３が存在するブラシ毛材部１４ａとブラシ毛材１３が存在しない間隙部１４ｂとを、芯材軸方向に交互に配列するように形成している。
【００６０】
このように、芯材１２にコイル状に巻き付けた線材１６を用いる簡単な構造でブラシ毛材１３を強制的に曲げると、ブラシ毛材１３が曲げた状態を保つことになる。このブラシ毛材１３の曲げ癖を利用して、ブラシ塗布部１４にブラシ毛材１３が存在するブラシ毛材部１４ａとブラシ毛材１３が存在しない間隙部１４ｂとを、芯材軸方向に交互に配列するよう形成することができる。
【産業上の利用可能性】
【００６１】
この発明は、ブラシ塗布部によって塗布対象毛に塗布液を塗布する液塗布具に適用可能であり、芯材にコイル状に巻き付けた線材を用いる簡単な構造で塗布対象毛に対して十分に濃い塗布液を塗布できる。
【図面の簡単な説明】
【００６２】
【図１】第１の実施の形態の液塗布具の斜視図である。
【図２】第１の実施の形態の液塗布具の側面図である。
【図３】第１の実施の形態の液塗布具を先端側から見た図である。
【図４】第１の実施の形態の液塗布具の製造方法を示す図である。
【図５】第１の実施の形態の液塗布具の製造方法を示す図である。
【図６】第１の実施の形態のブラシ塗布部の他の形態を示す図である。
【図７】第１の実施の形態のブラシ塗布部の他の形態を示す図である。
【図８】第１の実施の形態のブラシ塗布部の他の形態を示す図である。
【図９】第１の実施の形態の液塗布具の使用状態を示す図である。
【図１０】第１の実施の形態の液塗布具の使用状態を示す図である。
【図１１】第２の実施の形態の液塗布具の平面図である。
【図１２】第２の実施の形態の液塗布具の側面図である。
【図１３】第２の実施の形態の液塗布具の使用状態を示す図である。
【図１４】第２の実施の形態の液塗布具の使用状態を示す図である。
【図１５】第３の実施の形態の液塗布具の側面図である。
【図１６】第３の実施の形態の液塗布具の側面図である。
【図１７】従来の液塗布具を示す図である。
【図１８】従来の液塗布具を示す図である。
【符号の説明】
【００６３】
１  液塗布具
２，１２  芯材
３，１３  ブラシ毛材
４，１４  ブラシ塗布部
４ａ，１４ａブラシ毛材部
４ｂ，１４ｂ  間隙部
６，１６  線材
２０まつ毛
９０塗布液
【図１】
2009119176.tif 000003
【図２】
2009119176.tif 000004
【図３】
2009119176.tif 000005
【図４】
2009119176.tif 000006
【図５】
2009119176.tif 000007
【図６】
2009119176.tif 000008
【図７】
2009119176.tif 000009
【図８】
2009119176.tif 000010
【図９】
2009119176.tif 000011
【図１０】
2009119176.tif 000012
【図１１】
2009119176.tif 000013
【図１２】
2009119176.tif 000014
【図１３】
2009119176.tif 000015
【図１４】
2009119176.tif 000016
【図１５】
2009119176.tif 000017
【図１６】
2009119176.tif 000018
【図１７】
2009119176.tif 000019
【図１８】
2009119176.tif 000020